(57)【要約】【課題】地上波デジタルテレビ放送においては、受信電界強度がある値を下回ると急激に画質が劣化し、視覚的に許容できないレベルの画質が表示されたり、表示画像が乱れて識別できなくなることがある。【解決手段】デジタルテレビ放送受信端末において、受信した放送電波の電界強度がある値を下回って画質が急激に劣化するような場合、放送電波の受信及び蓄積と受信した映像データの再生を交互に実行し、かつ放送電波の受信の際には映像データの再生動作を停止させることで受信端末自身の不要輻射の発生を軽減させて受信感度を改善し、さらに、映像データの再生は、映像データ内の特定の映像フレームのみに限定して再生に割り当てられた時間内に確実に再生できるように構成することにより、弱電界においても、間欠的ではあるが安定した映像表示を行うことができる。【選択図】図１
2006157112.tif 000002
【特許請求の範囲】
【請求項１】
放送電波を受信して受信信号を出力するアンテナと、
前記アンテナから入力された前記受信信号から視聴を所望するチャネルの信号を抜き出し、この抜き出した信号を選局信号として出力する選局手段と、
前記選局手段から入力された前記選局信号にＯＦＤＭ復調処理とエラー訂正処理を行ってこれをトランスポートストリーム信号として出力し、一方で前記選局信号の品位の状態を感度情報として出力するＯＦＤＭ復調手段と、
前記ＯＦＤＭ復調手段から入力された前記感度情報が予め設定した値を下回る場合には、間欠動作を指示する間欠動作イネーブル信号を出力し、それ以外の場合には通常動作を指示する間欠動作イネーブル信号を出力する感度判定手段と、
前記ＯＦＤＭ復調手段から入力された前記トランスポートストリーム信号から、ビデオエレメンタリストリーム信号とオーディオエレメンタリストリーム信号を各々分離して出力する多重分離手段と、
前記感度判定手段から入力された前記間欠動作イネーブル信号が間欠動作を指示する信号である場合には、前記多重分離手段から入力された前記ビデオエレメンタリストリーム信号から特定のフレームを抜き出してこれをフレーム映像信号として出力し、さらに前記フレーム映像信号が有効であるか否かを示す蓄積イネーブル信号を出力するフレーム抜き取り手段と、
前記フレーム抜き取り手段から入力された前記蓄積イネーブル信号が、前記フレーム抜き取り手段から入力された前記フレーム映像信号が有効であることを示す場合には入力された前記フレーム映像信号を蓄積した後これをフレーム出力信号として出力し、一方で出力した前記フレーム出力信号が有効であるか否かを示すデコードイネーブル信号を出力する蓄積手段と、
前記感度判定手段から入力された前記間欠動作イネーブル信号が間欠動作を指示する信号である場合には、前記蓄積手段から入力されたフレーム出力信号をセレクタ出力信号として出力し、前記間欠動作イネーブル信号が通常動作を指示する信号である場合には、前記多重分離手段から入力された前記ビデオエレメンタリストリーム信号をセレクタ出力信号として出力するセレクタと、
前記感度判定手段から入力された前記間欠動作イネーブル信号が間欠動作を指示する信号である場合には、前記蓄積手段から入力された前記デコードイネーブル信号が、前記フレーム出力信号が有効であることを示している期間のみ前記セレクタから入力された前記セレクタ出力信号をデコードし、前記間欠動作イネーブル信号が通常動作を指示する信号である場合には、前記セレクタ出力信号を随時デコードしてそれを表示信号として出力する映像デコード手段と、
前記映像デコード手段から入力された前記表示信号を表示する表示手段と、
前記多重分離手段から入力された前記オーディオエレメンタリストリーム信号をデコードして音声信号として出力する音声出力手段と、
を備えたことを特徴とするデジタルテレビ放送受信端末。
【請求項２】
多重分離手段は、トランスポートストリーム信号からビデオエレメンタリストリーム信号とオーディオエレメンタリストリーム信号とを分離して出力し、かつ感度判定手段から入力された間欠動作イネーブル信号が間欠動作を指示する信号である場合には、前記オーディオエレメンタリストリーム信号の出力を停止する音声停止機能付き多重分離手段であることを特徴とする請求項１記載のデジタルテレビ放送受信端末。
【請求項３】
音声デコード手段は、感度判定手段からその出力信号である間欠動作イネーブル信号を入力されるように構成され、前記感度判定手段から入力された前記間欠動作イネーブル信号がイネーブルを示している場合は、前記音声デコード手段における音声の再生動作を停止させるように構成したことを特徴とする請求項１記載のデジタルテレビ放送受信端末。
【発明の詳細な説明】
【技術分野】
【０００１】
本発明は、放送受信端末自身が輻射する不要な電磁波による放送受信に対する悪影響を軽減しながら受信を行う機能を付加したデジタル放送受信端末、特に移動体におけるデジタルテレビ放送受信端末に関するものである。
【背景技術】
【０００２】
地上波デジタルテレビ放送はアナログテレビ放送に比べてノイズやマルチパス干渉等に強いが、その一方で、受信電界強度がある値を下回ると急激に画質が劣化することが知られている。この急激に画質の劣化をきたす現象は、一般にはクリフエフェクト（崖効果）と呼ばれている。
【０００３】
特に、携帯機器を想定した地上波デジタル放送サービスが近々開始される予定であり、広く普及することが予測されるが、これらの携帯機器においては、機器そのものが移動することから、受信エリアとの関係でこのようなクリフエフェクトの影響を受ける可能性が高い。
【０００４】
また、一般的に放送受信端末の受信感度は、放送局から送られて来る電波の受信電界強度に依存するが、受信端末自身が輻射する不要な電磁波が自らの受信感度を劣化させるため、受信感度は受信端末が自ら輻射する電磁波によって大きな影響を受けることになる。
このように不要な電磁波が受信感度を劣化させることを一般に感度抑圧と呼んでいる。
【０００５】
このような感度抑圧を防ぐための従来の方法としては、例えば、特許文献１には、間欠的に信号を受信する受信部と制御部を有する無線機において、受信部が受信動作状態にある場合に制御部の動作を部分的に停止させることで、無線機からの不要な電磁波の輻射を軽減し、受信感度の劣化を低減するといった方法が開示されている。
【特許文献１】特開２００１−３３２９９４号公報
【発明の開示】
【発明が解決しようとする課題】
【０００６】
しかしながら、無線機や携帯電話等においては、送受信及び待ち状態を時分割して実行するようにしているため上記のような間欠動作が有効であるが、テレビ放送を受信するような場合は、画像データがシームレスに送信されて来るため、間欠動作により時分割して放送電波の受信と、受信した映像データの再生および表示を交互に行おうとすると、必ず映像データが途切れてしまい、表示画面が乱れたり再生画像の内容が確認できなくなるという問題が発生し、しかも、デジタルテレビ放送の画像データはＭＰＥＧ等の画像圧縮技術を用いて送信されるので、例えばＭＰＥＧ画像圧縮データにおけるＰフレームやＢフレームのようにそれ自身の単独フレームではデコードできず、他のフレームの情報を元にデコードを行うフレームも存在するため、必ずしも映像データの再生と表示に割り当てられた時間内に送信されてくる全ての画像フレームを再生できるとは限らず、その結果、表示画面が乱れて再生画像の内容が確認できなくなるという課題を有していた。
【課題を解決するための手段】
【０００７】
上記の課題を解決するために、本発明のデジタルテレビ放送受信端末は、受信した放送電波の電界強度を常に監視する機能を有し、受信した放送電波の電界強度が予め定めた値を下回る場合には、放送電波を受信しさらにその受信した画像データを蓄積する動作と、蓄積した画像データをデコード（再生）してディスプレイ等に表示する動作を交互に行い、かつその蓄積する画像データを、受信した画像データの特定のフレーム、例えばＭＰＥＧ画像圧縮されたデータにおけるＩフレームのように単独フレームで１枚の画像を再生できるフレームのみに限定し、さらに、その蓄積した特定フレームの画像データを、蓄積した画像データをデコードして表示する動作に割り当てられた時間内にデコードしてディスプレイ等に表示することを特徴とするものである。
【発明の効果】
【０００８】
本発明のデジタル放送受信端末は、視覚的に許容できない程度に再生した映像の画質が劣化する弱電界において、放送電波の受信および蓄積動作と蓄積した画像データの再生動作を交互に実行させることにより、放送電波受信動作時に、自ら発する不要な電磁波の輻射を抑制して放送電波の受信感度が低下するのを抑えることができ、かつ、画像データの再生は、受信した画像データ内の特定のフレーム、例えばＭＰＥＧ画像圧縮されたデータにおけるＩフレームのみに限定し、それ以外の時間では放送電波の受信と受信された画像データの蓄積を行うようにすることにより、再生に割り当てられた時間内に、受信して蓄積された画像データ内に存在する特定のフレームを確実に再生して表示することができる。したがって、視覚的に許容できない程度に再生した映像の画質が劣化するような弱電界、あるいは表示された画像が乱れるような弱電界においても、間欠的ではあるが確実に放送画像を再生して表示することができる。
【発明を実施するための最良の形態】
【０００９】
以下、本発明の実施の形態を、図面を参照しながら説明する。
【００１０】
（実施の形態１）
図１は、本発明の実施の形態１における、デジタルテレビ放送受信端末の構成の一例を示すブロック図である。
【００１１】
図１において、１０１はアンテナ、１０２は選局手段、１０３はＯＦＤＭ復調手段、１０４は多重分離手段、１０５は感度判定手段、１０６はセレクタ、１０７はフレーム抜き取り手段、１０８は蓄積手段、１０９は映像デコード手段、１１０は表示手段、１１１は音声デコード手段、１１２は音声出力手段である。
【００１２】
以上のように構成したデジタルテレビ放送受信端末の動作を以下に示す。
【００１３】
アンテナ１０１は、デジタルテレビ放送波を受信し、その受信した広帯域の信号を受信信号として選局手段１０２に出力する。
【００１４】
選局手段１０２は、アンテナ１０１により受信された広帯域の受信信号から利用者が視聴を希望するチャンネルの信号帯域を抽出し、その抽出した信号を選局信号としてＯＦＤＭ復調手段１０３に出力する。
【００１５】
ＯＦＤＭ復調手段１０３は、入力された選局信号に対してＯＦＤＭ復調と誤り訂正処理を行った後、この処理された信号をトランスポートストリーム信号として多重分離手段１０４に出力する。ＯＦＤＭ復調手段１０３はさらに、入力された選局信号の信号の品位を表す感度情報を感度判定手段１０５に出力する。ここで、感度情報としては、デジタルテレビ放送の受信特性（受信された信号の品位）の評価に一般的に用いられているビットエラーレートを用いることができる。すなわち、選局信号の信号の品位を表すビットエラーレートの値に基づいて受信感度の値を対応付けることができるので、ビットエラーレートの値を感度情報の一例として用いることが可能である。しかし、感度情報はビットエラーレートに限定する必要はなく、ビットエラーレートに相当する他の値であっても良い。
【００１６】
多重分離手段１０４は、ＯＦＤＭ復調手段１０３から入力されたトランスポートストリーム信号に内包される映像信号を抽出し、この抽出した映像信号をビデオエレメンタリストリーム信号としてセレクタ１０６およびフレーム抜き取り手段１０７に出力し、さらに、トランスポートストリーム信号に内包される音声信号を抽出し、この抽出した音声信号をオーディオエレメンタリストリーム信号として音声デコード手段１１１に出力する。
【００１７】
感度判定手段１０５は、ＯＦＤＭ復調手段１０３より入力された感度情報によってもたらされた値が予め設定された値よりも低い場合には、出力信号である間欠動作イネーブル信号をイネーブルにし、感度情報によってもたらされた値が予め設定された値以上の場合には、出力信号である間欠動作イネーブル信号をディセーブルにしてそれぞれ出力する。なお、前述したように、デジタルテレビ放送の受信特性の評価にビットエラーレートが多く用いられているが、このビットエラーレートが2×10-4以下であればエラー訂正をすることによって信号の復元が可能であると言われているので、このビットエラーレートの値、2×10-4を予め設定される値として用いることができる。また、多少の画質劣化を許容するのであれば、この値よりもさらに大きな値を予め設定される値として用いてもよい。しかし、予め設定される値はこのビットエラーレートの値に限定する必要はなく、ビットエラーレートに相当する他の値であっても良い。
【００１８】
セレクタ１０６は、感度判定手段１０５から入力された間欠動作イネーブル信号がイネーブルを示す場合、すなわち間欠動作の指示を受けると、後述する蓄積手段１０８から入力されたフレーム出力信号をセレクタ出力信号として出力し、感度判定手段１０５から入力された間欠動作イネーブル信号がディセーブルを示す場合、すなわち通常動作の指示を受けると、ビデオエレメンタリストリーム信号をセレクタ出力信号として出力する。
【００１９】
フレーム抜き取り手段１０７は、感度判定手段１０５から入力された間欠動作イネーブル信号がイネーブルを示す場合、すなわち間欠動作の指示を受けると、多重分離手段１０４から入力されたビデオエレメンタリストリーム信号から特定の映像フレームを抜き取る。ここで特定の映像フレームとは、例えば、ＭＰＥＧ画像圧縮されたデータにおけるＩフレームのように、単独のフレームで１枚の画像が再生できるフレームである。デジタルテレビ放送の映像信号がＭＰＥＧ画像圧縮されて伝送される場合は、この抜き取られた特定の映像フレームであるＩフレームは、フレーム映像信号としてフレーム抜き取り手段１０７から蓄積手段１０８に出力される。同時に、このフレーム映像信号が有効であるか否かを示す蓄積イネーブル信号が、フレーム抜き取り手段１０７から蓄積手段１０８に出力される。
【００２０】
蓄積手段１０８は、フレーム抜き取り手段１０７から入力された蓄積イネーブル信号がイネーブルを示す時、同じくフレーム抜き取り手段１０７から入力されたフレーム映像信号が有効であると判断して入力されたフレーム映像信号の蓄積を行う。フレーム映像信号の蓄積が終了すると、その蓄積したフレーム映像信号をフレーム出力信号としてセレクタ１０６に出力する。同時に、デコードイネーブル信号を映像デコード手段１０９に出力し、このデコードイネーブル信号により、同時に出力したフレーム出力信号が有効であるか否かを示す。
【００２１】
映像デコード手段１０９は、感度判定手段１０５から入力された間欠動作イネーブル信号がディセーブルの時は、セレクタ１０６から入力されたセレクタ出力信号を随時デコードし、間欠動作イネーブル信号がイネーブルの時は、蓄積手段１０８から入力されたデコードイネーブル信号がイネーブルの時だけ、セレクタ１０６から入力されたセレクタ出力信号をデコードしてそれ以外の時間は再生動作を停止し、それぞれデコードした信号を表示信号として表示手段１１０に出力する。
【００２２】
表示手段１１０は、映像デコード手段１０９から入力された表示信号を表示するデバイスである。
【００２３】
音声デコード手段１１１は、多重分離手段１０４から入力されたオーディオエレメンタリストリーム信号をデコードし、その出力信号を音声信号として音声出力手段１１２に出力する。
【００２４】
音声出力手段１１２は、音声デコード手段１１１から入力された音声信号を音声に再生する手段であり、スピーカやヘッドホン等のデバイスである。
【００２５】
以上のようにデジタル放送受信端末を構成することにより、受信した放送電波の電界強度がある値を下回って画質が急激に劣化する現象が生じるような場合、放送電波の受信および蓄積と受信した映像データの再生を交互に実行し、放送電波の受信の際に映像データの再生動作を停止して受信端末自身の不要輻射の発生を軽減させることにより受信感度を改善し、さらに、映像データの再生は映像データ内の特定の映像フレーム（例えば、ＭＰＥＧ画像圧縮データにおけるＩフレーム）のみに限定したことにより、デコード（再生）に割り当てられた時間内に受信して蓄積した映像データ内の特定のフレームを確実に再生することができるので、視覚的に許容できない程度に再生した映像の画質が劣化するような弱電界においても、間欠的ではあるが安定した映像表示を行うことができる。
【００２６】
（実施の形態２）
図２は、本発明の実施の形態２における、デジタルテレビ放送受信端末の構成の一例を示すブロック図である。
【００２７】
図２において、１０１はアンテナ、１０２は選局手段、１０３はＯＦＤＭ復調手段、２０４は音声停止機能付き多重分離手段、１０５は感度判定手段、１０６はセレクタ、１０７はフレーム抜き取り手段、１０８は蓄積手段、１０９は映像デコード手段、１１０は表示手段、１１１は音声デコード手段、１１２は音声出力手段である。
【００２８】
以上のように構成したデジタルテレビ放送受信端末の動作を以下に示す。但し、実施の形態２のデジタルテレビ放送受信端末は、図１に示した実施の形態１のデジタルテレビ放送受信端末おける多重分離手段１０４を、音声停止機能付き多重分離手段２０４に置き換えたものであるので、音声停止機能付き多重分離手段２０４以外の各構成要素は実施の形態１の各構成要素と同じ番号を付し、ここではその説明を省略する。
【００２９】
音声停止機能付き多重分離手段２０４は、ＯＦＤＭ復調手段１０３から入力されたトランスポートストリーム信号に内包される映像信号を抽出し、この抽出した映像信号をビデオエレメンタリストリーム信号としてセレクタ１０６およびフレーム抜き取り手段１０７に出力し、さらに、感度判定手段１０５から入力される間欠動作イネーブル信号がイネーブルを示している場合、すなわち間欠動作を指示している場合には音声デコード手段１１１への音声信号の出力を停止し、間欠動作イネーブル信号がディセーブルを示している場合、すなわち間欠動作を指示していない場合には、ＯＦＤＭ復調手段１０３から入力されたトランスポートストリーム信号に内包される音声信号を抽出し、オーディオエレメンタリストリーム信号として音声デコード手段１１１に出力する。
【００３０】
以上のようにデジタル放送受信端末を構成することにより、受信した放送電波の電界強度がある値を下回って画質が急激に劣化する現象が生じるような場合、放送電波の受信と受信した映像データの再生を交互に実行し、かつ映像データの再生は映像データ内の特定の映像フレーム（例えば、ＭＰＥＧ画像圧縮データにおけるＩフレーム）のみのデコード（再生）を行い、再生動作以外の時間では放送電波の受信と受信したデータの蓄積を行うようにしたため、デコードに割り当てられた時間内に、受信したデータ内の特定のフレームを確実に再生し、間欠的ではあるが再生した映像を表示することができ、さらに放送電波の受信を行う際に、音声停止機能付き多重分離手段２０４からの音声信号の出力も停止するため、実施の形態１よりも受信端末自身が発生させる輻射ノイズを一層軽減することができるので、受信電波強度がより一層弱い状況下においても間欠的ながら再生映像の表示を行うことができる。
【００３１】
また、実施の形態２においては、感度判定手段１０５から入力される間欠動作イネーブル信号がイネーブルを示している場合、すなわち間欠動作を指示している場合には、音声停止機能付き多重分離手段２０４が音声デコード手段１１１への音声信号の出力を停止する構成となっているが、感度判定手段１０５の出力信号である間欠動作イネーブル信号を
音声デコード手段１１１にも入力するように構成し、感度判定手段１０５から入力される間欠動作イネーブル信号がイネーブルを示している場合は、音声デコード手段１１１における音声再生動作を停止させるように構成することにより、実施の形態２において示したと同様の効果を得ることができる。
【００３２】
さらに、実施の形態２の構成に、上記の感度判定手段１０５の出力信号である間欠動作イネーブル信号を音声デコード手段１１１にも入力するように構成して感度判定手段１０５から入力される間欠動作イネーブル信号がイネーブルを示している場合に、音声デコード手段１１１における音声再生動作を停止させるようにする構成を組み合わせても、実施の形態２において示したと同等以上の効果を得ることができることは言うまでもない。
【００３３】
なお、上記説明においては、地上波デジタルテレビ放送を例に上げて説明を行ったが、ＢＳ放送やＣＳ放送などの放送衛星を用いたデジタルテレビ放送であっても同様の効果を得ることができる。
【産業上の利用可能性】
【００３４】
本発明のデジタルテレビ放送受信端末は、視覚的に許容できない程度に画質が劣化する弱電界においても、間欠的ではあるが再生映像の表示を行うことができるので、特に受信条件が一定でない可能性の高いカーテレビや携帯端末等の移動体のデジタルテレビ放送受信端末において有効である。
【図面の簡単な説明】
【００３５】
【図１】本発明の実施の形態１における、デジタルテレビ放送受信端末の構成の一例を示すブロック図
【図２】本発明の実施の形態２における、デジタルテレビ放送受信端末の構成の一例を示すブロック図
【符号の説明】
【００３６】
１０１  アンテナ
１０２  選局手段
１０３  ＯＦＤＭ復調手段
１０４  多重分離手段
１０５  感度判定手段
１０６  セレクタ
１０７  フレーム抜き取り手段
１０８  蓄積手段
１０９  映像デコード手段
１１０  表示手段
１１１  音声デコード手段
１１２  音声出力手段
２０４  音声停止機能付き多重分離手段
【図１】
2006157112.tif 000003
【図２】
2006157112.tif 000004